(57)【要約】【課題】  幹事の権限で割勘金額を自由に調整して決裁可能で、利用者の利便性を向上させることができるクレジットカード決済システムを提供すること。【解決手段】  決済サーバが、割勘決裁を行うグループ毎に幹事クレジットカード情報を記憶し、グループの参加者毎に参加者名、参加者クレジットカード情報と最大支払金額を記憶し、幹事の利用者端末が、グループの全参加者について参加者名と当該参加者の最大支払金額を決裁サーバから取得して表示し、決済サーバに合計支払金額と幹事支払金額と当該グループの参加者毎の割勘支払金額を送信し、決済サーバが、合計支払金額が幹事支払金額と当該グループの全参加者の割勘支払金額の総和に等しく、かつ当該グループの全参加者について割勘支払金額が前記最大支払金額以下ならば、当該グループの全参加者について、クレジットカード決済し、かつ各参加者の前記最大支払金額から割勘支払金額を減算して記憶する。【選択図】      図５
2009230312.tif 000002
【特許請求の範囲】
【請求項１】
決済サーバと利用者端末がネットワークを介して接続して構成されるクレジットカード決済システムであって、
前記決済サーバが、
割勘決裁を行うグループ毎に当該グループの幹事の利用者端末から幹事クレジットカード情報を受信して記憶する第１の手段と、
前記グループの参加者毎に各参加者所有の利用者端末から参加者名、参加者クレジットカード情報と最大支払金額を受信して記憶する第２の手段と、
前記幹事の利用者端末が、
グループの全参加者について参加者名と当該参加者の最大支払金額を前記決裁サーバから取得して表示し、前記決済サーバに合計支払金額と幹事支払金額と当該グループの参加者毎の割勘支払金額を送信する第３の手段と、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記幹事支払金額と前記幹事クレジットカード情報でクレジットカード決済し、当該グループの全参加者について、前記割勘支払金額と前記参加者クレジットカード情報に基づきクレジットカード決済する第４の手段を備える
ことを特徴とするクレジットカード決済システム。
【請求項２】
決済サーバと利用者端末がネットワークを介して接続して構成されるクレジットカード決済システムであって、
前記決済サーバが、
割勘決裁を行うグループ毎に当該グループの幹事の利用者端末から幹事クレジットカード情報を受信して記憶する第１の手段と、
前記グループの参加者毎に各参加者所有の利用者端末から参加者名、参加者クレジットカード情報と最大支払金額を受信して記憶する第２の手段と、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３の手段と、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報に基づきクレジットカード決済し、かつ各参加者の前記最大支払金額から前記割勘支払金額を減算して記憶する第４の手段を備える
ことを特徴とするクレジットカード決済システム。
【請求項３】
決済サーバと利用者端末と加盟店端末がネットワークを介して接続して構成されるクレジットカード決済システムであって、
前記決済サーバが、
割勘決裁を行うグループ毎に当該グループの幹事の利用者端末から幹事クレジットカード情報を受信して記憶する第１の手段と、
前記グループの参加者毎に各参加者所有の利用者端末から参加者名、参加者クレジットカード情報と最大支払金額を受信して記憶する第２の手段と、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３の手段と、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループの前記加盟店ＩＤと前記合計支払金額と前記幹事支払金額を記憶し、かつ当該グループの参加者毎の前記割勘支払金額を記憶する第４の手段と、
前記加盟店端末が、
前記決済サーバに前記加盟店ＩＤと前記幹事クレジットカード情報と前記合計支払金額を送信する第５の手段と、
前記決済サーバが、
前記加盟店端末から受信した前記加盟店ＩＤと前記幹事クレジットカード情報と前記合計支払金額から割勘決裁を行うグループを特定し、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報でクレジットカード決済し、前記最大支払金額から前記割勘支払金額を減算して記憶する第６の手段を備える
ことを特徴とするクレジットカード決済システム。
【請求項４】
決済サーバと利用者端末がネットワークを介して接続して構成されるクレジットカード決済システムにおける決裁方法であって、
前記決済サーバが、
割勘決裁を行うグループ毎に当該グループの幹事の利用者端末から幹事クレジットカード情報を受信して記憶する第１のステップと、
前記グループの参加者毎に各参加者所有の利用者端末から参加者名、参加者クレジットカード情報と最大支払金額を受信して記憶する第２のステップと、
前記幹事の利用者端末が、
グループの全参加者について参加者名と当該参加者の最大支払金額を前記決裁サーバから取得して表示し、前記決済サーバに合計支払金額と幹事支払金額と当該グループの参加者毎の割勘支払金額を送信する第３のステップと、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記幹事支払金額と前記幹事クレジットカード情報でクレジットカード決済し、当該グループの全参加者について、前記割勘支払金額と前記参加者クレジットカード情報に基づきクレジットカード決済する第４のステップを備える
ことを特徴とするクレジットカード決済方法。
【請求項５】
決済サーバと利用者端末がネットワークを介して接続して構成されるクレジットカード決済システムにおける決裁方法であって、
前記決済サーバが、
割勘決裁を行うグループ毎に当該グループの幹事の利用者端末から幹事クレジットカード情報を受信して記憶する第１のステップと、
前記グループの参加者毎に各参加者所有の利用者端末から参加者名、参加者クレジットカード情報と最大支払金額を受信して記憶する第２のステップと、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３のステップと、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報に基づきクレジットカード決済し、かつ各参加者の前記最大支払金額から前記割勘支払金額を減算して記憶する第４のステップを備える
ことを特徴とするクレジットカード決済方法。
【請求項６】
決済サーバと利用者端末と加盟店端末がネットワークを介して接続して構成されるクレジットカード決済システムにおける決裁方法であって、
前記決済サーバが、
割勘決裁を行うグループ毎に当該グループの幹事の利用者端末から幹事クレジットカード情報を受信して記憶する第１のステップと、
前記グループの参加者毎に各参加者所有の利用者端末から参加者名、参加者クレジットカード情報と最大支払金額を受信して記憶する第２のステップと、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３のステップと、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループの前記加盟店ＩＤと前記合計支払金額と前記幹事支払金額を記憶し、かつ当該グループの参加者毎の前記割勘支払金額を記憶する第４のステップと、
前記加盟店端末が、
前記決済サーバに前記加盟店ＩＤと前記幹事クレジットカード情報と前記合計支払金額を送信する第５のステップと、
前記決済サーバが、
前記加盟店端末から受信した前記加盟店ＩＤと前記幹事クレジットカード情報と前記合計支払金額から割勘決裁を行うグループを特定し、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報でクレジットカード決済し、前記最大支払金額から前記割勘支払金額を減算して記憶する第６のステップを備える
ことを特徴とするクレジットカード決済方法。
【発明の詳細な説明】
【技術分野】
【０００１】
本発明は、グループによる割勘支払を実現するクレジットカード決済システムおよび方法に関する。
【背景技術】
【０００２】
従来のグループによる割勘支払を実現するクレジットカード決済システムに関する技術には、例えば下記の特許文献１に記載の技術がある。
特許文献１に記載の技術では、グループによる割勘支払を取りまとめる幹事が、幹事のクレジットカードで加盟店への合計支払金額をクレジットカード決済し、決済サーバから支払識別情報を通知される。
そして、グループによる割勘支払を分担する参加者が、幹事から支払識別情報を通知されて、参加者のクレジットカードで支払識別情報と割勘支払金額を指定して支払うと、決済サーバに記憶されている幹事のクレジットカードの支払金額から割勘支払金額が減額される。
【０００３】
【特許文献１】特開２００４−２８０３１８号公報
【発明の開示】
【発明が解決しようとする課題】
【０００４】
しかしながら、従来のグループによる割勘支払を実現するクレジットカード決済システムに関する技術にあっては、支払毎に幹事が参加者に支払識別情報を通知して割勘支払の登録をしてもらう必要があり、支払時に幹事が参加者毎の割勘支払金額を調整して確定できないという問題点がある。例えば、部長の最大割勘金額は１００００円、課長は８０００円とし、残りを他の参加者で分担するというように幹事の権限で割勘金額を自由に調整することができず、利用者にとって利便性に欠けるという問題があった。
【０００５】
本発明の目的は、幹事の権限で割勘金額を自由に調整して決裁可能で、利用者の利便性を向上させることができるクレジットカード決済システムを提供することにある。
【課題を解決するための手段】
【０００６】
本発明に係るクレジットカード決済システムは、決済サーバと利用者端末がネットワークを介して接続して構成されるクレジットカード決済システムであって、
前記決済サーバが、
割勘決裁を行うグループ毎に当該グループの幹事の利用者端末から幹事クレジットカード情報を受信して記憶する第１の手段と、
前記グループの参加者毎に各参加者所有の利用者端末から参加者名、参加者クレジットカード情報と最大支払金額を受信して記憶する第２の手段と、
前記幹事の利用者端末が、
グループの全参加者について参加者名と当該参加者の最大支払金額を前記決裁サーバから取得して表示し、前記決済サーバに合計支払金額と幹事支払金額と当該グループの参加者毎の割勘支払金額を送信する第３の手段と、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記幹事支払金額と前記幹事クレジットカード情報でクレジットカード決済し、当該グループの全参加者について、前記割勘支払金額と前記参加者クレジットカード情報に基づきクレジットカード決済する第４の手段を備えることを特徴とする。
【０００７】
また、決済サーバと利用者端末がネットワークを介して接続して構成されるクレジットカード決済システムであって、
前記決済サーバが、
割勘決裁を行うグループ毎に当該グループの幹事の利用者端末から幹事クレジットカード情報を受信して記憶する第１の手段と、
前記グループの参加者毎に各参加者所有の利用者端末から参加者名、参加者クレジットカード情報と最大支払金額を受信して記憶する第２の手段と、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３の手段と、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報に基づきクレジットカード決済し、かつ各参加者の前記最大支払金額から前記割勘支払金額を減算して記憶する第４の手段を備えることを特徴とする。
【０００８】
また、決済サーバと利用者端末と加盟店端末がネットワークを介して接続して構成されるクレジットカード決済システムであって、
前記決済サーバが、
割勘決裁を行うグループ毎に当該グループの幹事の利用者端末から幹事クレジットカード情報を受信して記憶する第１の手段と、
前記グループの参加者毎に各参加者所有の利用者端末から参加者名、参加者クレジットカード情報と最大支払金額を受信して記憶する第２の手段と、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３の手段と、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループの前記加盟店ＩＤと前記合計支払金額と前記幹事支払金額を記憶し、かつ当該グループの参加者毎の前記割勘支払金額を記憶する第４の手段と、
前記加盟店端末が、
前記決済サーバに前記加盟店ＩＤと前記幹事クレジットカード情報と前記合計支払金額を送信する第５の手段と、
前記決済サーバが、
前記加盟店端末から受信した前記加盟店ＩＤと前記幹事クレジットカード情報と前記合計支払金額から割勘決裁を行うグループを特定し、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報でクレジットカード決済し、前記最大支払金額から前記割勘支払金額を減算して記憶する第６の手段を備えることを特徴とする。
【０００９】
本発明に係るクレジットカード決済方法は、決済サーバと利用者端末がネットワークを介して接続して構成されるクレジットカード決済システムにおける決裁方法であって、
前記決済サーバが、
割勘決裁を行うグループ毎に当該グループの幹事の利用者端末から幹事クレジットカード情報を受信して記憶する第１のステップと、
前記グループの参加者毎に各参加者所有の利用者端末から参加者名、参加者クレジットカード情報と最大支払金額を受信して記憶する第２のステップと、
前記幹事の利用者端末が、
グループの全参加者について参加者名と当該参加者の最大支払金額を前記決裁サーバから取得して表示し、前記決済サーバに合計支払金額と幹事支払金額と当該グループの参加者毎の割勘支払金額を送信する第３のステップと、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記幹事支払金額と前記幹事クレジットカード情報でクレジットカード決済し、当該グループの全参加者について、前記割勘支払金額と前記参加者クレジットカード情報に基づきクレジットカード決済する第４のステップを備えることを特徴とする。
【００１０】
また、決済サーバと利用者端末がネットワークを介して接続して構成されるクレジットカード決済システムにおける決裁方法であって、
前記決済サーバが、
割勘決裁を行うグループ毎に当該グループの幹事の利用者端末から幹事クレジットカード情報を受信して記憶する第１のステップと、
前記グループの参加者毎に各参加者所有の利用者端末から参加者名、参加者クレジットカード情報と最大支払金額を受信して記憶する第２のステップと、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３のステップと、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報に基づきクレジットカード決済し、かつ各参加者の前記最大支払金額から前記割勘支払金額を減算して記憶する第４のステップを備えることを特徴とする。
【００１１】
また、決済サーバと利用者端末と加盟店端末がネットワークを介して接続して構成されるクレジットカード決済システムにおける決裁方法であって、
前記決済サーバが、
割勘決裁を行うグループ毎に当該グループの幹事の利用者端末から幹事クレジットカード情報を受信して記憶する第１のステップと、
前記グループの参加者毎に各参加者所有の利用者端末から参加者名、参加者クレジットカード情報と最大支払金額を受信して記憶する第２のステップと、
前記幹事の利用者端末が、
グループの全参加者について参加者名と当該参加者の最大支払金額を前記決裁サーバから取得して表示し、前記決済サーバに加盟店ＩＤと合計支払金額と幹事支払金額と当該グループの参加者毎の割勘支払金額を送信する第３のステップと、
前記決済サーバが、
前記幹事の利用者端末から受信した前記合計支払金額が前記幹事支払金額と当該グループの全参加者の前記割勘支払金額の総和に等しく、かつ当該グループの全参加者について前記割勘支払金額が前記最大支払金額以下ならば、当該グループの前記加盟店ＩＤと前記合計支払金額と前記幹事支払金額を記憶し、かつ当該グループの参加者毎の前記割勘支払金額を記憶する第４のステップと、
前記加盟店端末が、
前記決済サーバに前記加盟店ＩＤと前記幹事クレジットカード情報と前記合計支払金額を送信する第５のステップと、
前記決済サーバが、
前記加盟店端末から受信した前記加盟店ＩＤと前記幹事クレジットカード情報と前記合計支払金額から割勘決裁を行うグループを特定し、当該グループについて、前記加盟店ＩＤと前記幹事支払金額と前記幹事クレジットカード情報でクレジットカード決済し、当該グループの全参加者について、前記加盟店ＩＤと前記割勘支払金額と前記参加者クレジットカード情報でクレジットカード決済し、前記最大支払金額から前記割勘支払金額を減算して記憶する第６のステップを備えることを特徴とする。
【発明の効果】
【００１２】
本発明によれば、事前に参加者に最大支払金額の登録をしてもらい、支払毎に最大支払金額から割勘支払金額を減算することで、最大支払金額が正数（１円以上）である限り、グループによる割勘支払を複数回できるようになる。
また、支払時に、幹事がグループの全参加者について割勘支払金額が最大支払金額以下になるように調整することで、支払時に幹事の主導権で参加者毎の割勘支払金額を確定できるようになり、利用者の利便性を向上させることが可能になる。
【発明を実施するための最良の形態】
【００１３】
以下、本発明のクレジットカード決済システムの実施の形態について図面を参照して詳細に説明する。
図１は、本発明の実施の形態を示すシステム構成図である。
図１において、本実施形態のクレジットカード決済システムは、決済サーバ１がデータベース２を内蔵し、この決済サーバ１と利用者端末３と加盟店端末４がネットワーク５を介して接続して構成される。
決済サーバ１と加盟店端末４は、加盟店毎にユニークな識別値である加盟店ＩＤを記憶している。
利用者端末３はパソコン（ＰＣ）や携帯電話機であり、加盟店端末４はＣＡＴ端末である。
利用者には、グループによる割勘支払を取りまとめる幹事と、グループによる割勘支払を分担する参加者が存在する。
データベース２には、幹事テーブルと参加者テーブルとが作成される。この幹事テーブルと参加者テーブルの一例について、図２を参照しながら説明する。
幹事テーブルのカラムは、グループＩＤと幹事クレジットカード情報である。
参加者テーブルのカラムは、参加ＩＤとグループＩＤと参加者クレジットカード情報と最大支払金額である。
幹事テーブルのグループＩＤと参加者テーブルの参加ＩＤは、ユニーク制約のあるカラムである。
クレジットカード情報は、カード番号と有効期限と名前と暗証番号などから構成される文字列である。
【００１４】
本発明のクレジットカード決済システムの処理は、グループの生成処理と集金処理と支払処理から構成される。
グループの生成処理の一例について、図３を参照しながら説明する。
まず、ステップ３０１において、幹事が所有する利用者端末３において、幹事が幹事クレジットカード情報を入力し、決済サーバ１に幹事クレジットカード情報を送信する。
これに対し、ステップ３０２において、決済サーバ１が、幹事が所有する利用者端末３から幹事クレジットカード情報を受信し、データベース２の幹事テーブルのユニーク制約を満たすようにグループＩＤをランダムに生成し、データベース２の幹事テーブルに、生成したグループＩＤと受信した幹事クレジットカード情報を含むレコードを挿入し、幹事が所有する利用者端末３にグループＩＤを送信する。
次に、ステップ３０３において、幹事が所有する利用者端末３が、決済サーバ１からグループＩＤを受信して表示する。
【００１５】
次に、グループの集金処理の一例について、図４を参照しながら説明する。
ただし、参加者は幹事からグループＩＤと最大支払金額を通知されているものとする。
まず、ステップ４０１において、各参加者の利用者端末３において各参加者によってグループＩＤと参加者クレジットカード情報と最大支払金額を入力し、決済サーバ１にグループＩＤと参加者クレジットカード情報と最大支払金額を送信する。
次に、ステップ４０２において、決済サーバ１が、参加者の利用者端末３からグループＩＤと参加者クレジットカード情報と最大支払金額を受信し、データベース２の参加者テーブルのユニーク制約を満たすように参加ＩＤをランダムに生成し、データベース２の参加者テーブルに、生成した参加ＩＤと受信したグループＩＤと参加者クレジットカード情報と最大支払金額を含むレコードを挿入し、利用者端末３に参加ＩＤを送信する。
続く、ステップ４０３において、参加者の利用者端末３が、決済サーバ１から参加ＩＤを受信して表示する。
【００１６】
次に、グループの支払処理の一例について、図５を参照しながら説明する。
ただし、幹事は加盟店から加盟店ＩＤと合計支払金額を通知されているものとする。
まず、ステップ５０１において、幹事の利用者端末３において幹事がグループＩＤと幹事クレジットカード情報を入力し、決済サーバ１にグループＩＤと幹事クレジットカード情報を送信する。
次に、ステップ５０２において、決済サーバ１が、幹事の利用者端末３からグループＩＤと幹事クレジットカード情報を受信し、データベース２の幹事テーブルを検索し、受信したグループＩＤと幹事クレジットカード情報を含むレコードが記憶されているならば、データベース２の参加者テーブルから受信したグループＩＤを含むレコードを選択し、その選択したレコードから参加ＩＤと参加者クレジットカード情報に含まれる名前と最大支払金額を取得し、幹事の利用者端末３に参加ＩＤと名前と最大支払金額の表を送信する。
次に、ステップ５０３において、幹事の利用者端末３が、決済サーバ１から参加ＩＤと名前と最大支払金額の表を受信して表示する。
そこで、幹事は、加盟店ＩＤと合計支払金額と幹事支払金額と参加ＩＤ毎の割勘支払金額を入力し、決済サーバ１に加盟店ＩＤと合計支払金額と幹事支払金額と参加ＩＤ毎の割勘支払金額を送信する。
図５においては、名前＝ＮＡＮＡ  ＳＵＺＵＫＩについて、最大支払金額が７０００円であるが、４０００円の割勘支払い金額を幹事が入力した例を示している。
この手順が存在することによって、幹事は各参加者が予め設定した最大支払い金額の範囲内で割勘支払金額を自由に調整して決裁を行うことが可能になる。
【００１７】
次に、ステップ５０４において、決済サーバ１が、幹事の利用者端末３から加盟店ＩＤと合計支払金額と幹事支払金額と参加ＩＤ毎の割勘支払金額を受信し、合計支払金額が幹事支払金額と受信した全ての参加ＩＤの割勘支払金額の総和に等しく、かつ受信した全ての参加ＩＤについて割勘支払金額がデータベース２の参加者テーブルに記憶されている最大支払金額以下ならば、加盟店ＩＤと幹事支払金額とステップ５０２で受信した幹事クレジットカード情報でクレジットカード決済し、受信した全ての参加ＩＤについて、加盟店ＩＤと割勘支払金額とデータベース２の参加者テーブルに記憶されている参加者クレジットカード情報でクレジットカード決済し、データベース２の参加者テーブルに記憶されている最大支払金額から割勘支払金額を減算して更新する。
このステップ５０４の処理により、例えば名前＝ＮＡＮＡ  ＳＵＺＵＫＩについては、当初の最大支払金額が７０００円であったが、４０００円の割勘支払金額を決裁したので、最大支払金額は７０００円から３０００円に減額更新される。
この最大支払金額の更新値が残っている限り、再度、割勘決裁を行う必要が生じた場合、その残額の範囲内で再び上記と同様な手順で割勘支払を行うことが可能になる。
【００１８】
次に、グループの支払処理の他の例について、図６を参照しながら説明する。
ただし、幹事は加盟店から加盟店ＩＤと合計支払金額を通知されているものとする。
また、幹事テーブルのカラムに加盟店ＩＤと合計支払金額と幹事支払金額が追加され、参加者テーブルのカラムに割勘支払金額が追加され、追加されたカラムにはレコード挿入時にＮＵＬＬ値が記憶されているものとする。
まず、ステップ６０１において、幹事の利用者端末３において幹事がグループＩＤと幹事クレジットカード情報を入力し、決済サーバ１にグループＩＤと幹事クレジットカード情報を送信する。
【００１９】
次に、ステップ６０２において、決済サーバ１が、幹事の利用者端末３からグループＩＤと幹事クレジットカード情報を受信し、データベース２の幹事テーブルを検索し、受信したグループＩＤと幹事クレジットカード情報を含むレコードが記憶されているならば、データベース２の参加者テーブルから受信したグループＩＤを含むレコードを選択し、その選択したレコードから参加ＩＤと参加者クレジットカード情報に含まれる名前と最大支払金額を取得し、幹事の利用者端末３に参加ＩＤと名前と最大支払金額の表を送信する。
次に、ステップ６０３において、幹事の利用者端末３が、決済サーバ１から参加ＩＤと名前と最大支払金額の表を受信して表示する。
そこで、幹事は、加盟店ＩＤと合計支払金額と幹事支払金額と参加ＩＤ毎の割勘支払金額を入力し、決済サーバ１に加盟店ＩＤと合計支払金額と幹事支払金額と参加ＩＤ毎の割勘支払金額を送信する。
【００２０】
次に、ステップ６０４において、決済サーバ１が、幹事の利用者端末３から加盟店ＩＤと合計支払金額と幹事支払金額と参加ＩＤ毎の割勘支払金額を受信し、合計支払金額が幹事支払金額と受信した全ての参加ＩＤの割勘支払金額の総和に等しく、かつ受信した全ての参加ＩＤについて割勘支払金額がデータベース２の参加者テーブルに記憶されている最大支払金額以下ならば、データベース２の幹事テーブルからステップ６０２で受信したグループＩＤを含むレコードを選択し、その選択したレコードの加盟店ＩＤと合計支払金額と幹事支払金額を受信した加盟店ＩＤと合計支払金額と幹事支払金額に更新し、受信した全ての参加ＩＤについて、データベース２の参加者テーブルから受信した参加ＩＤを含むレコードを選択し、選択したレコードの割勘支払金額を受信した割勘支払金額に更新する。
【００２１】
次に、ステップ６０５において、加盟店端末４が、加盟店の店員によって幹事クレジットカード情報と合計支払金額を入力し、決済サーバ１に加盟店ＩＤと幹事クレジットカード情報と合計支払金額を送信する。
次に、ステップ６０６において、決済サーバ１が、加盟店端末４から加盟店ＩＤと幹事クレジットカード情報と合計支払金額を受信し、データベース２の幹事テーブルに、受信した加盟店ＩＤと幹事クレジットカード情報と合計支払金額を含むレコードが記憶されているならば、データベース２の幹事テーブルの受信した加盟店ＩＤと幹事クレジットカード情報と合計支払金額を含むレコードについて、グループＩＤと幹事支払金額を取得し、加盟店ＩＤと幹事支払金額と幹事クレジットカード情報でクレジットカード決済し、加盟店ＩＤと合計支払金額と幹事支払金額をＮＵＬＬ値に更新し、データベース２の参加者テーブルの取得したグループＩＤを含むレコードについて、参加者クレジットカード情報と割勘支払金額を取得し、加盟店ＩＤと割勘支払金額と参加者クレジットカード情報でクレジットカード決済し、最大支払金額から割勘支払金額を減算して更新し、割勘支払金額をＮＵＬＬ値に更新する。
【図面の簡単な説明】
【００２２】
【図１】本発明のクレジットカード決済システムの実施形態を示すシステム構成図である。
【図２】図１のシステムにおけるデータベースの幹事テーブルと参加者テーブルの一例を示す図である。
【図３】グループの生成処理の一例を示す図である。
【図４】グループの集金処理の一例を示すシーケンス図である。
【図５】グループの支払処理の一例を示すシーケンス図である。
【図６】グループの支払処理の他の例を示すシーケンス図である。
【符号の説明】
【００２３】
１  決済サーバ
２  データベース
３  利用者端末
４  加盟店端末
５  ネットワーク
【図１】
2009230312.tif 000003
【図２】
2009230312.tif 000004
【図３】
2009230312.tif 000005
【図４】
2009230312.tif 000006
【図５】
2009230312.tif 000007
【図６】
2009230312.tif 000008